(57)【要約】【目的】  自然風力換気窓では強風時に窓を閉めておく必要がある。くの字アームを用いて障子の下框を室内側へ引き寄せる装置は、室内側にくの字アームを含む装置が露出する。意匠上の解決を計ることが望まれている。【構成】  障子を支持するサブアーム４の下端が竪枠１１にピン３４で枢着されている。竪枠１１に上下動自在に設けたガイドバー９に固定されたスライド５には軸６ａでもってリンク７が枢着されている。竪枠１１にはカム面８ａを有するブロック８が固定されている。ガイドバー９を上昇するとリンク７はカム面８ａに当り軸６ａを中心にして反時計回りに回動する。引っ掛け部材６ｂが右方へ向い、サブアーム４はピン３４を中心に右方へ回動して障子を閉じる。これら装置は竪枠１１と障子の竪框間に納まっている。窓の意匠を害しない。ブラインド、カーテンを制約なく取り付得る。【選択図】  図４
2008002229.tif 000002
【特許請求の範囲】
【請求項１】
部屋又は建屋の外部に面して取り付けられる窓枠と、窓枠に納まり窓を閉めた状態と窓枠から外部へ向って開く障子を有し、
一端が竪枠に壁面に平行し水平な軸心で枢着され、他端が前記軸心よりも上方で竪框の中間部に前記軸心と平行な軸心で枢着されたアームを有する窓の障子閉鎖装置において、
竪枠に対して竪枠に沿って移動可能に設けられたスライドと、
スライドに取り付けられてアームと係合しスライドが上昇するにつれてアームを引き寄せるアーム引寄せ装置と、
を有し、
アーム引寄せ装置を竪框と竪枠間に設けたことを特徴とする障子閉鎖装置。
【請求項２】
アーム引寄せ装置はスライドに水平軸で回転自在に支持され、端部にアームの外側に係合する引っ掛け部材を有するリンクと、
竪枠に固定されリンクに接触し、スライドが移動する際にリンクの運動を引っ掛け部材が内外部方向に移動するように規制する規制ブロックと、
を有することを特徴とする請求項１に記載の障子閉鎖装置。
【請求項３】
規制ブロックはリンクの外縁に接するカム面を有することを特徴とする請求項２に記載の障子閉鎖装置。
【請求項４】
前記スライドに固定され竪枠に沿って移動自在に竪枠に案内される竪枠側ガイドバーと、
下枠に沿って移動自在に下枠に沿って下枠に案内される下枠側ガイドバーと、
竪枠と下枠のコーナーに沿って移動自在に設けられ一端が竪枠側ガイドバーに連結され他端が下枠側ガイドバーに連結された可撓性部材を有するコーナードライブと、
下枠側ガイドバーに固定されたラッチ回転用ブロックと、
下枠に軸で回転自在に支持され、一方向に回転するようにばねより付勢され、ラッチ回転用ブロックにより前記ばねのばね力に抗して押されるカム面とカム面が押されることにより室内側に移動する、障子の下框に設けられた障子側ピンが係脱可能な溝部とを有するラッチと、
を有することを特徴とする請求項１から３の何れか１つに記載の障子閉鎖装置。
【請求項５】
竪枠の室内側の内側材の外部側で竪枠に沿って設けられ竪枠側ガイドバーを移動自在に案内する竪枠に備えられた竪枠外側ガイドと、
前記内側材の内部側に見込方向で見て竪枠外側ガイドに重なるように竪枠に設けられた竪枠内側ガイドと、
竪枠外側ガイドと竪枠内側ガイドが重なる位置において前記内側材に設けられ内側材の内外を通ずるように開口している貫通部と、
竪枠内側ガイドに移動自在に嵌合した操作バーと、
貫通部を介して竪枠側ガイドバーと操作バーを締結する締結部材と、
操作バーを進退させる操作装置と、
を有することを特徴とする請求項１から４の何れか１つに記載の障子閉鎖装置。
【請求項６】
貫通部を外部側から覆い上端が閉塞され、下端が開放された状態で窓枠に取り付けられた貫通部塞ぎケースと、
貫通部塞ぎケースの下方にあって竪枠側ガイドバーに固定され、竪枠側ガイドバーの上昇により貫通部塞ぎケースの下端の開放部を密閉する貫通部塞ぎ材と、
を有することを特徴とする請求項５に記載の障子閉鎖装置。
【請求項７】
窓が窓枠の両側の竪枠と、障子の竪框間に夫々設けられ竪框上部に一端が枢着され他端が前記一端よりも低い位置において竪枠に枢着された短い長さのメインアームと、竪框中間部に一端が枢着され他端が竪枠下部に枢着されメインアームよりも長い長さのサブアームとを有し、
障子を閉めた状態において、各アームは夫々ほぼ垂直方向を向いて、各アームの竪框への枢着位置が各アームの竪枠への枢着位置の上方に位置し、且つ、各アームの竪枠への枢着位置が障子の重心よりも室内側にあって、無風時には障子の重量によって緩やかに開窓し、開窓時には外部側から障子に向って吹く風によって閉窓する自然風力換気窓である請求項１から６のいずれか１つに記載の障子閉鎖装置。
【請求項８】
障子がほぼ閉った際に障子の竪框に接触するローラと、先端に前記ローラを有し根本側が竪枠に枢着され障子がほぼ閉って前記ローラが障子の竪框に接触する際に斜となっているアームと、アームを外部側へ向って付勢するばねとを有することを特徴とする請求項７に記載の障子閉鎖装置。
【請求項９】
竪枠側ガイドバーと下枠側ガイドバーは見込方向に位置を異にしており、可撓性部材は下枠側ガイドバーを含む壁面に平行な同一平面上に配設され、可撓性部材と竪枠側ガイドバーとを連結する連結部材は竪枠側ガイドバーと連結する連結部と可撓性部材と連結する連結部が見込方向で位置を異にしていることを特徴とする請求項４に記載の障子閉鎖装置。
【発明の詳細な説明】
【技術分野】
【０００１】
本発明は外すべり出し窓、突き上げ窓、自然風力換気窓等の開窓時窓枠から外部へ突き出したアームで支持される窓の障子閉鎖装置に関する。ここで自然風力換気窓とは内気の状態と外気により生ずる障子に加わる風力の状態によって自然に障子が開閉して換気が行われる窓のことをいう。
【背景技術】
【０００２】
図３５は突き上げ窓の略縦断面図、図３４は図３５の平面図である。この突き上げ窓１０１は窓枠１０２の竪枠１０２ａにピン１０３で障子１０４の上部が枢着されて、外へ突き出される。障子１０４の竪框にピン１０５で上端が枢着されたアーム１０６の下端は長穴１０６ａが竪枠１０２ａに設けたピン又はローラ１０７に嵌合している。
【０００３】
この障子１０４を開閉するために一端が下框にボールジョイント１０８で枢着されたロッド１１１ａ、一端が垂直方向の軸１０９で開閉駆動装置１１０に連結されたアーム１１１ｂの夫々の他端をボールジョイント１１１ｃで連結したくの字アーム１１１が設けられている。
【０００４】
このようにくの字アーム１１１により障子を室内側へ引き寄せながら、図示されないロック機構にて閉鎖する。また、障子開放はロック機構を解除してからくの字アーム１１１を延ばすことによる。障子開閉装置は開閉駆動装置１１０を窓枠の下枠に室内側に出張るように設けている。
【０００５】
従って、くの字アームが常時露出しているため意匠性に欠ける。かつくの字アームは汚れやすく清掃し難い。開閉駆動装置は下枠から室内側へ出張るので、部屋に突出物が突出してしまう形となる。従って、窓にくの字アームと開閉駆動装置を用いると、連設される窓から突出物が室内側に並列するので室内全体の意匠を損ねる。また、自然風力換気窓では障子開閉装置は障子開放時は障子の開閉を邪げてはならないのでくの字アームを解除するか開閉駆動装置を中立とするか等の必要がある。
【０００６】
窓枠内にくの字アームがあるのでルーバ、ブラインドを設けたとしても下枠までルーバ、ブラインドを下せない。カーテンを設けると、裾が開閉駆動装置によりふくらんでしまい、カーテンの意匠を害する。
【０００７】
上記のようなくの字アーム１１１を用いた障子開閉装置は回転すべり子機構を用いた外すべり出し窓においても同様に用いられている。
【０００８】
自然風力換気窓では無風で開窓し、正圧（外部側から窓に向って吹く風により障子に加えられる圧力）の風で閉窓する。しかし、強風で風力の消長が激しくなると障子は正圧の風で急速に閉る。また、負圧の風で障子は急速に開く。特に障子が急速に閉るときの発生音が大きい。そこで、通常は自然風力換気窓として機能可能とすると共に上記強風時には障子を閉鎖しておく障子閉鎖装置の開発が要請されている。
【特許文献１】特開２００４−６８４６０号公報
【発明の開示】
【発明が解決しようとする課題】
【０００９】
本発明は突き上げ窓、外辷り出し窓、自然風力換気窓等のアームを用いて障子を支持する窓において、意匠上すぐれると共に室内側へ出張ることがなく、障子閉鎖状態において機構部が見えず窓枠と障子のみが見える障子閉鎖装置を提供することを目的とする。
【課題を解決するための手段】
【００１０】
本出願に係る第１の発明は部屋又は建屋の外部に面して取り付けられる窓枠と、窓枠に納まり窓を閉めた状態と窓枠から外部へ向って開く障子を有し、
一端が竪枠に壁面に平行し水平な軸心で枢着され、他端が前記軸心よりも上方で竪框の中間部に前記軸心と平行な軸心で枢着されたアームを有する窓の障子閉鎖装置において、
竪枠に対して竪枠に沿って移動可能に設けられたスライドと、
スライドに取り付けられてアームと係合しスライドが上昇するにつれてアームを引き寄せるアーム引寄せ装置と、
を有し、
アーム引寄せ装置を竪框と竪枠間に設けたことを特徴とする障子閉鎖装置である。
【００１１】
本出願に係る第２の発明はアーム引寄せ装置はスライドに水平軸で回転自在に支持され、端部にアームの外側に係合する引っ掛け部材を有するリンクと、
竪枠に固定されリンクに接触し、スライドが移動する際にリンクの運動を引っ掛け部材が内外部方向に移動するように規制する規制ブロックと、
を有することを特徴とする第１の発明に記載の障子閉鎖装置である。
【００１２】
本出願に係る第３の発明は規制ブロックはリンクの外縁に接するカム面を有することを特徴とする第２の発明に記載の障子閉鎖装置である。
【００１３】
本出願に係る第４の発明は前記スライドに固定され竪枠に沿って移動自在に竪枠に案内される竪枠側ガイドバーと、
下枠に沿って移動自在に下枠に沿って下枠に案内される下枠側ガイドバーと、
竪枠と下枠のコーナーに沿って移動自在に設けられ一端が竪枠側ガイドバーに連結され他端が下枠側ガイドバーに連結された可撓性部材を有するコーナードライブと、
下枠側ガイドバーに固定されたラッチ回転用ブロックと、
下枠に軸で回転自在に支持され、一方向に回転するようにばねより付勢され、ラッチ回転用ブロックにより前記ばねのばね力に抗して押されるカム面とカム面が押されることにより室内側に移動する、障子の下框に設けられた障子側ピンが係脱可能な溝部とを有するラッチと、
を有することを特徴とする第１から第３の発明の何れか１つに記載の障子閉鎖装置である。
【００１４】
本出願に係る第５の発明は竪枠の室内側の内側材の外部側で竪枠に沿って設けられ竪枠側ガイドバーを移動自在に案内する竪枠に備えられた竪枠外側ガイドと、
前記内側材の内部側に見込方向で見て竪枠外側ガイドに重なるように竪枠に設けられた竪枠内側ガイドと、
竪枠外側ガイドと竪枠内側ガイドが重なる位置において前記内側材に設けられ内側材の内外を通ずるように開口している貫通部と、
竪枠内側ガイドに移動自在に嵌合した操作バーと、
貫通部を介して竪枠側ガイドバーと操作バーを締結する締結部材と、
操作バーを進退させる操作装置と、
を有することを特徴とする第１から第４の何れか１つの発明に記載の障子閉鎖装置である。
【００１５】
本出願に係る第６の発明は貫通部を外部側から覆い上端が閉塞され、下端が開放された状態で窓枠に取り付けられた貫通部塞ぎケースと、
貫通部塞ぎケースの下方にあって竪枠側ガイドバーに固定され、竪枠側ガイドバーの上昇により貫通部塞ぎケースの下端の開放部を密閉する貫通部塞ぎ材と、
を有することを特徴とする第５の発明に記載の障子閉鎖装置である。
【００１６】
本出願に係る第７の発明は窓が窓枠の両側の竪枠と、障子の竪框間に夫々設けられ竪框上部に一端が枢着され他端が前記一端よりも低い位置において竪枠に枢着された短い長さのメインアームと、竪框中間部に一端が枢着され他端が竪枠下部に枢着されメインアームよりも長い長さのサブアームとを有し、
障子を閉めた状態において、各アームは夫々ほぼ垂直方向を向いて、各アームの竪框への枢着位置が各アームの竪枠への枢着位置の上方に位置し、且つ、各アームの竪枠への枢着位置が障子の重心よりも室内側にあって、無風時には障子の重量によって緩やかに開窓し、開窓時には外部側から障子に向って吹く風によって閉窓する自然風力換気窓である第１から第６のいずれか１つの発明に記載の障子閉鎖装置である。
【００１７】
本出願に係る第８の発明は障子がほぼ閉った際に障子の竪框に接触するローラと、先端に前記ローラを有し根本側が竪枠に枢着され障子がほぼ閉って前記ローラが障子の竪框に接触する際に斜となっているアームと、アームを外部側へ向って付勢するばねとを有することを特徴とする第７の発明に記載の障子閉鎖装置である。
【００１８】
本出願に係る第９の発明は竪枠側ガイドバーと下枠側ガイドバーは見込方向に位置を異にしており、可撓性部材は下枠側ガイドバーと壁面に平行な同一平面上に配設され、可撓性部材と竪枠側ガイドバーとを連結する連結部材は竪枠側ガイドバーと連結する連結部と可撓性部材と連結する連結部が見込方向で位置を異にしていることを特徴とする第４の発明に記載の障子閉鎖装置である。
【発明の効果】
【００１９】
本発明の障子閉鎖装置は室内側へ出張る物がないので室内全体の意匠にすぐれる。窓のみとしても、障子を閉めた際には障子閉鎖装置は見えず、窓枠と障子のみが見えるだけであるので意匠性にすぐれる。
【００２０】
自然風力換気窓に適用した場合は、自然風力換気窓の機能はそのまま保持される。
【００２１】
窓枠内にブラインド又はルーバを設けることができる。
【００２２】
障害となる部材が室内側にないのでカーテンを設けることができる。
【発明を実施するための最良の形態】
【００２３】
四節連鎖機構を有する自然風力換気窓に好適に適用できる窓について説明する。
【００２４】
先ず自然風力換気窓について説明する。
【００２５】
図１から図３は自然風力換気窓の全閉、半開、全開の状態を示す側面図である。
【００２６】
図１から図３において夫々の図の右側が室内側である。
自然風力換気窓は部屋又は建屋の外部に面して取り付けられる窓枠１と、窓枠１に納まり窓を閉めた状態（図１参照）と窓枠１から外部へ向って辷り出して開く障子２を有する自然風力換気窓であって、
窓枠１の両側の堅枠１１と、障子２の竪框２１間に夫々設けられ竪框２１上部に一端が枢着され他端が前記一端よりも低い位置において堅枠１１に枢着された短い長さのメインアーム３と、竪框２１の中間部に一端が枢着され他端が竪枠１１の下部に枢着されメインアーム３よりも長い長さのサブアーム４とを有する。
【００２７】
図１に示すように障子２を閉めた状態において、各アーム３，４は夫々ほぼ垂直方向を向いて、各アーム３，４の竪框２１への枢着位置が各アーム３，４の竪枠１１への枢着位置の上方に位置し、且つ、各アーム３，４の竪枠１１への枢着位置が障子２の重心よりも室内側にあって、無風時には障子２の重量によって緩やかに図３に示すように開窓し、開窓時には外部側から障子２に向って吹く風によって閉窓する。
【００２８】
図４から図６は自然風力換気窓に本発明の障子閉鎖装置を適用した側面図である。
【００２９】
この障子閉鎖装置は、一端が竪枠１１に壁面に平行し水平な軸心であるサブアーム枠側支点となるピン３４で枢着され、他端が前記軸心よりも上方で竪框の中間部に前記軸心と平行な軸心を持つピン３１（図１〜図３参照）で枢着されたサブアーム４と、
竪枠１１に対して竪枠１１に沿って移動可能に設けられたスライド５と、
スライド５に取り付けられてサブアーム４と係合しスライド５が上昇するにつれてサブアーム４を室内側に向って引き寄せるアーム引き寄せ装置６と、
を有し、
アーム引寄せ装置６をサブアーム４と竪枠１１間に設けてある。
【００３０】
アーム引寄せ装置６はスライド５に水平な軸６ａで回転自在に支持され、端部にサブアーム４の窓枠１側から見て外側の縁４ｃに係合する引っ掛け部材６ｂを有するリンク７と、
竪枠１１に固定されリンク７に接触し、スライド５が移動する際にリンク７の運動を規制する規制ブロック８と、
を有する。
【００３１】
規制ブロック８はリンク７の外縁７ａに接するカム面８ａを有する。
【００３２】
次にスライド５を移動させると共に障子２を閉め切る装置について説明する。
【００３３】
この装置は図７に示すようにスライド５に固定され竪枠１１に沿って移動自在に竪枠１１に案内される竪枠側ガイドバー９と、
下枠１３に沿って移動自在に下枠１３に沿って下枠１３に案内される下枠側ガイドバー１０と、
竪枠１１と下枠１３とのコーナーにおいて、竪枠１１及び下枠１３のコーナーに沿って移動自在に設けられ一端が竪枠側ガイドバー９に連結され他端が下枠側ガイドバー１０に連結された可撓性のコーナードライブ１５と、を有する。
【００３４】
また、図８から図１２に示すように下枠側ガイドバー１０に固定されたラッチ回転用ブロック１６と、
下枠１３にピン２９で回転自在に支持され、ばね１９より一方向（反時計方向）に回転するように付勢され、ラッチ回転用ブロック１６により前記ばね１９のばね力に抗して押されるカム面２０ａとカム面２０ａが押されることにより室内側に移動する、障子２の下框２３に設けられた障子側ピン２３ｂ（図１０，図１１，図１２参照）が係脱可能なラッチ２０と、を有する。
【００３５】
次に障子閉鎖装置の操作装置についてのべる。
【００３６】
この装置は、図７、図１５から図２０に示されている。図１８に示すように竪枠１１の室内側の内側材である戸当り部材１１ｅの外部側で竪枠１１に沿って設けられ竪枠側ガイドバー９を移動自在に案内する竪枠外側ガイド１１ｈと、
戸当り部材１１ｅの内部側に見込方向で見て竪枠外側ガイド１１ｈに重なるように竪枠１１に設けられた竪枠内側ガイド１１ｉと、
竪枠外側ガイド１１ｈと竪枠内側ガイド１１ｉが重なる位置において戸当り部材１１ｅに設けられ戸当り部材１１ｅの内外を通ずるように開口している貫通部１１ｊ（図１5参照）と、
竪枠内側ガイドに１１ｉに移動自在に嵌合した操作バー２４と、
貫通部１１ｊを介して竪枠側ガイドバー９と操作バー２４を締結する締結部材３３と、
操作バー２４を進退させる操作装置２５（図７、図１９、図２０参照）と、を有する。
【実施例】
【００３７】
以下、図面を用いて本発明の適用される実施例を説明する。
【００３８】
先ず、本発明の適用される自然風力換気窓について説明する。
（全体構成）
図２１は窓の正面を内部側より見る正面図である。この自然風力換気窓（以下、窓という）Ｘは建屋の外部に面して取り付けられる窓枠１と、窓枠１に納まり窓を閉めた状態と窓枠１から外部へ向って開く障子２を有する。これらはアルミ押出型材を主たる材料として構成されている。窓枠１の両側の竪枠１１夫々と障子２の竪框２１間にはメインアーム３とサブアーム４（共に図示は分り易いように実線で示したが、実際には見えない）が配設されている。メインアーム３は竪框２１上部の側面に一端が枢着され、他端が前記一端よりも低い位置において竪枠１１に枢着されている。メインアーム３は短い。サブアーム４は竪框２１の中間部の側面に一端が枢着され、他端は竪枠１１の下端に枢着されている。サブアーム４はメインアーム３よりも長い。
【００３９】
上記窓枠１、障子２、メインアーム３、サブアーム４でもって夫々をリンクとする四節連鎖機構を構成している。
【００４０】
サブアーム４と竪枠１１の間にはサブアーム引寄せ装置６が配設されている。障子２の下框２３と下枠１３の間との間には障子２を締切るためのラッチ２０が設けてある。アーム引寄せ装置６及びラッチ２０を作動する操作装置２５は片側の竪枠１１の下方延長線上において壁面には操作機構２５ｃを有する。操作装置２５は操作バー２４と操作機構２５ｃで構成されている。操作機構２５ｃは操作部材２５ａを有する。操作部材２５ａを回転することにより、操作機構２５ｃ内の例えば往復すべり子回転機構、ラックピニオン、ウオームギア対等の何れかの機構により出力部材に結合された操作バー２４を上下動する。操作機構２５ｃは室内の壁面ＷＡに固定されている。
【００４１】
この窓は操作部材２５ａを障子２が開くことが出来る方向に操作すると、ラッチ２０は障子２の下框２３の拘束を解くと共にアーム引寄せ装置６がサブアーム４を外方へ向かわないようにしていた規制を解く。これによって障子２は力学的なバランスにより後述するように外方に開く。そして、風により生ずる障子２の内外面に加わる風圧差によって障子２は開度を自動的に変える。
（窓枠の構成）
窓枠１は左右の竪枠、上枠、下枠を四方組みしたものであって建屋の外部に面して躯体に取り付けられる。また、障子２は左右の竪框、上框、下框を四方組みした四方框内にガラスＧを嵌め込んである。障子２はメインアーム３、サブアーム４を介して竪枠１１に取り付けられる。
【００４２】
竪枠１１と竪框２１は図２２に断面が示されている。図２２は窓の水平断面図である。竪枠１１は窓内部に面し見込方向の部材である内周材１１ａの外部側に外部側に面する外面材１１ｂを窓外へ向って面し壁面に沿って設けてある。また、内周材１１ａの内部側において室内に面する内面材１１ｃを壁面に沿って設けてある。２条の突条が内周材１１ａの上下方向に沿って窓内に設けてある。これら突条は外部側から内部側へ向って戸当り材１１ｄ、戸当り材１１ｅの順に設けてある。戸当り材１１ｅは室内に面する内側材である。
【００４３】
戸当り材１１ｅにはパッキン４６を取り付けるための条溝１１ｇが設けてある。この条溝１１ｇは窓枠１の上枠１２、下枠１３（図２３参照）に設けた同様の条溝１２ｃ，１３ｃと併せて外部側より見て方形に囲繞されている。そして各条溝１１ｇ，１２ｃ，１３ｃを通じてパッキン４６が嵌合している。そこで障子２を閉めると障子２の竪框２１、上框２２、下框２３の室内に面する内面材２１ａ，２２ａ，２３ａがパッキン４６に当接する。これによって障子２と窓枠１間の気密が計られる。内面材２１ａ，２２ａ，２３ａは障子２を閉めた際に壁面に平行な一平面上にある。
【００４４】
障子２は内面材２１ａ，２２ａ，２３ａよりも外部側で内部側を向いた外側内面材２１ｂ，２２ｂ，２３ｃを外周側に有する。これらは障子２を閉めた際に壁面に平行な一平面上にある。
【００４５】
竪枠１１の内周材１１ａからの立上りの高さは戸当り材１１ｅよりも戸当り材１１ｄが小さい。障子２を閉めた際に竪框２１の外側内面材２１ｂに当接するパッキン４９が竪枠１１の戸当り材１１ｄに設けた条溝１１ｍに嵌合している。障子２を閉めた際に上框２２の外側内面材２２ｂに当接するパッキン４９が上枠１２の戸当り材１２ｂに設けた条構１２ｄに嵌合している。条構１１ｍ，１２ｄは見込方向から見て門形であり、パッキン４９も同様に配設されている。
【００４６】
障子２を閉めた際はパッキン４９に障子２の竪框２１、上框２２の外側内面材２１ｂ，２２ｂが当接することにより障子２を閉めた際の水密を計っている。上記のように門形に密封することにより窓枠１と障子２間の雨水等の浸入防止を計っている。
【００４７】
障子２を閉めると障子２の竪框２１の外周材２１ｄ、外側内面材２１ｂと竪枠１１の内周材１１ａ、戸当り材１１ｅで囲まれた上下方向に長い空間Ｓが出来る。この空間Ｓにメインアーム３、サブアーム４、サブアーム引寄せ装置６が収容される。空間Ｓは下框２３と下枠１３間の空間Ｓ２を介して外部側に通じている。
【００４８】
片側の竪枠１１の戸当り部材１１ｅには竪枠外側ガイド１１ｈ、竪枠内側ガイド１１ｉが設けられている。これらガイド１１ｈ，１１ｉは見込方向から見て重なる位置にある。両側の竪枠１１の戸当り部材１１ｅの内側材部分には室内に向って平行して一対の係止突状１１ｋが設けられている。係止突状１１ｋにはアタッチ材としてカバー１１ｎが嵌着してある。
【００４９】
図１３はサブアーム４とサブアーム引寄せ装置６が空間Ｓに納められていることを示す平面図である。サブアーム４、サブアーム引寄せ装置６は共に室内外から見えない。また、障子２を開いて見込方向に直角な見付方向から見て、サブアーム引寄せ装置６は竪枠１１の見込方向の幅内に納まっており、室内側の内部材である戸当り部材１１ｅが竪枠の内周材１１ａより窓内へ突出しているため、殆ど見えない。そして、空間Ｓ内にあるサブアーム引寄せ装置６は障子２を閉めた状態ではちり、ほこりから遮断されている。また、障子２が開いた状態においては、上方が上枠１２、開いた状態の障子２で覆われているため、ちり、ほこりが堆積し難い。
（ガラスの取付構成）
図２２、２３に示すガラスＧは障子２の各框２１，２２，２３の外側の内面材２１ｂ，２２ｂ，２３ｃの外部側に囲繞したガラス溝４０に嵌まり込んで、ガラス台４１上に置かれ、ガラスＧの内外面とガラス溝４０がシール材４２により固定されている。なお、竪框２１のガラス溝４０は竪框２１の外周材２１ｄに嵌着したアタッチ材２１ｅを用いて構成してある。
（メインアームの取付構成）
メインアーム３は空間Ｓ内に設けられる。
【００５０】
図１から図３、図１４に示すように障子２の竪框２１の端部上にはメインアーム取付具１４が固定してある。その取付具１４は竪框２１の外周材２１ｄに当接する。
【００５１】
メインアーム取付具１４の上下方向の部材には壁面に平行な水平方向の中心線上にピン１７が固定されている。ピン１７にはメインアーム３の上端部の穴が回転自在に嵌合している。
【００５２】
ここで、メインアーム取付具１４は鋼材でできている。
【００５３】
メインアーム３の下部はメインアーム枠側取付具１８を介して竪枠１１に枢着されている。この取付具１８は内周材１１ａに当接して竪枠１１に固定されている。
【００５４】
メインアーム枠側取付具１８に固定された壁面に平行で水平方向の軸心を持つピン２６にメインアーム３の下部の穴が回転可能に嵌合している。
【００５５】
図３に示すように、メインアーム３が外部側へ回動した際の回動限度を定めるために、メインアーム３が当接しそれ以上回転しないようにメインアーム枠側取付具１８に一体又は溶着されたストッパ１８ａが設けてある。このストッパ１８ａはメインアーム３の回動軌跡上へ突出している。
【００５６】
上記においてメインアーム枠側取付具１８、ピン２６は鋼製である。
【００５７】
（サブアーム取付構成）
図１〜図３に示すように障子２の竪框２１の中間部分にはほぼたんざく状のサブアーム障子側取付具２８が取り付けてある。図１３に示すようにこの取付具２８は竪框２１の外周材２１ｄに当接し、取付具２８の穴を挿通する小ねじ２８ａを竪框２１を挿通して外周材２１ｄの裏側に設けた不図示の当板にねじ込み固定されている。当板は鋼材製である。
【００５８】
取付具２８にサブアーム４の上端部が当接している。サブアーム４の上端部の穴を挿通してピン３１がサブアーム障子側取付具２８にねじ込まれている。ピン３１にはサブアーム４の上端が回転自在に嵌合している。
【００５９】
図４から図６に示すように竪枠１１の下部においてサブアーム枠側取付具３２が竪枠の内周材１１ａに当接している。この取付具３２の穴を挿通する小ねじ３２ａは内周材１１ａを貫通して内周材１１ａの背面に設けた不図示の当板にねじ込まれている。
【００６０】
サブアーム枠側取付具３２は壁面に平行な水平方向の中心線でもってピン３４が固定されている。ピン３４にはサブアーム４の下端の穴が回転自在に嵌合している。又は、サブアーム枠側取付具３２に設けた穴に回転可能に嵌合したピン３４をサブアーム４と一体又はサブアーム４に固定して設ける。
【００６１】
サブアーム４が外部側へ回動した際の回動限度を定めるために、サブアーム４が当接してそれ以上回転しないようにストッパ３２ｂが設けてある。このストッパ３２ｂはサブアーム枠側取付具３２に一体又は溶着されており、サブアーム４の回動軌跡上へ突出している。
【００６２】
（メインアーム、サブアームの取付位置）
本実施例のメインアーム３、サブアーム４の取付位置について説明する。
図２４、図２５は摸式的に示す自然風力換気窓の見込方向縦断面図であり、図２４は障子２が閉じた状態、図２５は障子２が開いた状態を示す。
【００６３】
力学的に説明するため、既述したピン１７はメインアーム障子側支点３ａ、ピン２６はメインアーム枠側支点３ｂ、ピン３１はサブアーム障子側支点４ａ、ピン３４はサブアーム枠側支点４ｂと表現する。
【００６４】
図２４に示すように障子２が閉じられている際は、障子２は直立している。そのときの障子２の重心ＣＧは障子の上下方向のほぼ中心、ガラス面の室内側寄りにあり、この重心をとおり、壁面に平行な垂直平面ＰＬ上にメインアーム障子側支点３ａ、サブアーム障子側支点４ａが位置する。そして、前記平面よりも室内側にメインアーム枠側支点３ｂ、サブアーム枠側支点４ｂが位置する。ここで、メインアーム３が前記平面ＰＬとなす角をθ１、サブアーム４が前記平面ＰＬとなす角はθ２である。障子側支点３ａ，４ａを中心として平面ＰＬから反時計回りの夫々のアーム３，４のなす角を正角とすると、角θ１，θ２を正角とする。障子側支点３ａ，４ａが障子重心をとおる平面ＰＬよりも外部側にあっても差支えはないが、枠側支点３ｂ，４ｂは室内側になければならない。上述において、角度θ１，θ２は何れも小さくθ１＞θ２である。
【００６５】
本例では障子２の重心ＣＧはメインアーム障子側支点３ａ、サブアーム障子側支点４ａよりも下方にある。このため、障子２が開いた状態におけるサブアーム４とサブアーム障子側支点４ａをとおる垂線のなす角α２を小さくとれる。
【００６６】
ここで、障子２が閉まった状態において障子２を開こうとする力についてみると、平面ＰＬ上に障子側支点３ａ，４ａがある条件では障子２の重量Ｗは支点３ａ，４ａには夫々Ｗ／２が加わる。そこで、支点３ａに加わる荷重Ｗ／２をメインアーム３に沿う力とメインアーム３に直交する力に分解すると、メインアーム３に直交するする力はＷ／２・ｓｉｎθ１となる。メインアーム３の長さ（支点３ａ，３ｂ間の距離のこと）をＬ１とすると、障子２の荷重によりメインアーム３を枠側支点３ｂを中心にして外部側へ回転しようとするモーメントＭ１＝Ｌ１・Ｗ／２・ｓｉｎθ１となる。また、支点４ａに加わる荷重Ｗ／２をサブアーム４に沿う力とサブアーム４に直交する力に分解すると、サブアーム４に直交する力はＷ／２・ｓｉｎθ２となる。サブアーム４の長さ（支点４ａ，４ｂ間の距離のこと）をＬ２とすると、障子２の荷重によりサブアーム４を枠側支点４ｂを中心にして外部側へ回転しようとするモーメントＭ２＝Ｌ２・Ｗ／２・ｓｉｎθ２となる。
【００６７】
障子２が開くと、メインアーム３、サブアーム４は枠側支点３ｂ，４ｂを中心にして反時計回りに回動して夫々ストッパ１８ａ，３２ｂに当接して停止し、図３、図２５（図２５ではストッパは図略）の位置となる。この無風状態では換気が行われる。
【００６８】
障子２が開いてストッパ１８ａ，３２ｂにメインアーム３、サブアーム４が当接した状態での力の均衡は次のとおりである。メインアーム障子側支点３ａとサブアーム障子側支点４ａとの水平距離をＡ、障子重心ＣＧとメインアーム障子側支点３ａとの水平距離をＢとすると、サブアーム４の障子側支点４ａに加わる垂直荷重をＰ２として、Ｐ２−Ｐ１＝Ｗ、Ｐ２・Ａ＝ＢＷであるから、Ｐ２＝（Ｂ／Ａ）・Ｗとなる。また、メインアーム障子側支点３ａには障子２の重量に基づいて上向きの力が加わる。上向きの垂直荷重Ｐ１＝Ｗ・（Ｂ−Ａ）／Ａである。そこで、この荷重Ｐ１のメインアーム３に直交する成分はメインアーム障子側支点３ａを頂点とするメインアーム３と垂線のなす角をα１とすると、Ｐ１・ｓｉｎα１＝（Ｗ・（Ｂ−Ａ）／Ａ）・ｓｉｎα１
そこで、障子２の上側はメインアーム枠側支点３ｂを中心としてＭ３＝（Ｗ・（Ｂ−Ａ）／Ａ）・ｓｉｎα１・Ｌ１なるモーメントが働き障子２の上側を閉めようとする力が生じている。
【００６９】
ここでサブアーム障子側支点４ａには障子２の重量に基づいて生ずる荷重は下向きであるのでサブアーム４には反時計回りのモーメントＭ４が生じ障子２が開く方向に働く。
【００７０】
障子２を開こうとするモーメントＭ４は力Ｐ２の方向とサブアーム４のなす角をα２とすると、Ｍ４＝Ｐ２・ｓｉｎα２・Ｌ２ここで、Ｌ２はサブアーム４の支点４ａ，４ｂ間の距離である。そして、Ｍ３＜Ｍ４となるように設定されており、且つこれらの差を小さなものとしてある。それ故、無風時は、障子２が開いた状態で障子２が閉まる方向へ移動しないようになっている。
【００７１】
上述のような点を勘案してメインアーム３、サブアーム４の長さ、支点３ａ，３ｂ，４ａ，４ｂ位置を設定する。
【００７２】
このような設定により、無風時に障子２は閉めた位置から自然に緩やかに開く。そして、例えば、障子２の外部側から障子２面に交叉方向から風が吹き付けると風圧によって障子２は閉まる。その閉まり方は、図２５においてメインアーム３が枠側支点３ｂを中心にして時計回りに回動し、サブアーム４は枠側支点４ｂを中心に時計回りに回動するものである。そこで、強い風であると障子２は閉ってしまう。然し乍ら微風の際は障子２は少し開いた状態であって外気は室内側へ吹き込む。この微風によっても障子２が閉まるのは、支点４ａが障子重心ＣＧよりも上にあって前記角α２が小さく、且つ、障子２の全面に加わる風力が室内側へ向う力となるためである。なお、且つメインアーム３が室内側へ向って回動しようとする釣合状態であるためである。
【００７３】
障子２は開閉装置を付さないでも、窓の風力等で自然に開閉換気するものである。
【００７４】
このような自然風力換気窓では暴風時は突風が吹き、外部側より室内側に向って障子２に急激な正圧が働いたり、風向きが変わって急に障子２に上記と逆に負圧が加わり閉まっている障子が急激に開いてしまうことが起る。そこで、暴風時とか強風時に備えて自然換気動作を邪げない障子閉鎖装置を設ける必要がある。
【００７５】
上述したサブアームを引き寄せることは障子閉鎖装置として有効である。サブアーム引き寄せ装置は
・  サブアームを引き寄せるだけで障子２を閉めることができる。
・  サブアームを引き寄せる際に引き寄せ力を加える位置を選択できるので引き寄せ力と引き寄せ行程を選択でき設計の融通性がある。従来例のように障子の下框を引き寄せると大きな行程が必要となる。
・  障子の竪框と窓枠の竪枠間に納めることができるので窓の美観を障子閉鎖装置によって損なわれない。
・  一棟の建物に対して多数の自然風力換気窓を設ける場合を考慮すると、障子を付された窓枠に対して障子閉鎖装置を総て工場で取り付けられるので生産性が高い。
・  わずかの変更で障子閉鎖装置を障子開閉装置とすることができる。
（サブアーム引寄せ装置の実施例１）
本例のサブアーム引寄せ装置６は図４から図６に側面図が示されている。
【００７６】
サブアーム引寄せ装置６はスライド５に水平な軸６ａで回転自在に支持され、端部に室内側から見てサブアーム４の外側の縁４ｃに係合する引掛け部材６ｂを有するリンク７を有する。
【００７７】
スライド５は竪枠側ガイドバー９に当接してスライド５を挿通して小ねじ５ａを該ガイドバー９にねじ込むことにより竪枠側ガイドバー９に固定されている。図１３、図１４に示すように竪枠側ガイドバー９は竪枠１１に設けた上下方向の竪枠外側ガイド１１ｈに上下動自在に嵌合している。竪枠外側ガイド１１ｈはＴ溝の条溝であって口部は空間Ｓに対して開口している。
【００７８】
図４から図６に示すようにスライド５はスタンド形状であってベース５ｂから空間Ｓ内に向かってアーム５ｃが突出している。アーム５ｃの先端に壁面に平行な軸心を持つ水平な軸６ａでリンク７が回転可能に支持されている。リンク７は端部にサブアーム引き寄せ具である引っ掛け部材６ｂを有する。引っ掛け部材６ｂはサブアーム４の外部側の縁４ｃに接し得る位置にある。サブアーム４は帯鋼製であり断面は短形状である。
【００７９】
引っ掛け部材６ｂとしては種々のものが考えられるがリンク７に回転自在に支持され外周がサブアーム４の縁４ｃに接し得るもの、リンク７に固定された円筒形のピン、ゴムローラ、リンク７に枢着され縁４ｃを摺動する回転すべり子等が選択できる。
【００８０】
ここで竪枠側ガイドバー９、スライド５、リンク７は鋼製である。
【００８１】
竪枠１１には規制ブロック８が固定されている。規制ブロック８は図１３に示すように戸当り材１１ｄと内周材１１ａに当接している。規制ブロック８にはリンク７の外縁７ａに接するカム面８ａを有する。
【００８２】
このカム面８ａとリンク７の外縁７ａについて説明する。カム面８ａは図４から図６に示すように右斜め下方を向いて凹な曲線又は折線となっている。図４に示すように障子２が全開してリンク７が最も傾いたときにはカム面８ａの最下端部と接触している。そして、図５に示すようにスライド５と共にリンク７が上昇すると外縁７ａはカム面８ａの中間と接触する。リンク７は図４の場合よりも立った位置となる。更にスライド５と共にリンク７が上昇した図６の位置においてはリンク７の外縁７ａはカム面８ａの上部と接する。
【００８３】
上記のようなスライド５の上昇につれてのリンク７の回転角は、スライド５の単位当り上昇距離に対してリンク７の反時計回りの回転変位は、スライド５の上昇の初めにおいては大きく、上昇につれて次第に小さくなる。
【００８４】
なお、スライド５とリンク７はスライド５の上昇につれての引っ掛け部材６ｂの上昇は、引っ掛け部材６ｂが軸６ａを中心にして反時計回りに回動するので、この回動につれて引っ掛け部材６ｂと軸６ａ間の垂直方向の距離は増大するので引っ掛け部材６ｂは軸６ａから垂直方向に遠のくので引っ掛け部材６ｂとでサブアーム４の縁４ｃとの接触位置はほぼ一定である。
【００８５】
なお、軸６ａに挿入したねじりコイルばねの一端をリンク７に他端をスライド５に係止してリンク７が軸６ａを中心にして反時計回りにねじりコイルばねのばね力で回動するようにしてもよい（図示されない）
このサブアーム引き寄せ装置６は次のように作用する。図４は図３に示すように障子２が開いた限度位置にあるとき（ストッパ１８ａにメインアーム３が当り、ストッパ３２ｂにサブアーム４が当っている）には、引っ掛け部材６ｂはサブアーム４の外縁４ｃから離れているか、外縁４ｃを加圧することなく接している。リンク７は規制ブロック８のカム面８ａの下端部に接している。
【００８６】
ここで竪枠側ガイドバー９が上昇するとスライド５及びリンク７は共に上昇する。上昇するリンク７はその外縁７ａが規制ブロック８のカム面８ａに当り摺動し、且つ軸６ａを中心に反時計回りに回動する。引っ掛け部材６ｂは外縁４ｃを押してサブアーム４をピン３４を中心にして時計回りに回動させる。これによって障子２は閉じる。
【００８７】
図５に示すように障子２がほぼ閉まると、引っ掛け部材６ｂはスライド５の上昇による見込方向の変位量が小さくなり、後述のラッチ２０による装置により障子２は閉まる。従って、スライド５が上昇限度に近ずくにつれて殆んどスライド５のみが移動し、障子２の下框２３側の引っ掛け部材６ｂによる移動は小さくなる。
【００８８】
このように障子２はサブアーム引寄せ装置６で閉めた状態からは後述のラッチ２０を有する装置で閉め切られるものである。
【００８９】
次に、障子２を上記のようにサブアーム引寄せ装置６で閉めた後に、障子２を閉め切る装置について説明する。この装置はサブアーム引寄せ装置６と連動するようになっている。
【００９０】
（引寄せ装置とラッチの連動装置）
先ず引寄せ装置６と障子２を閉め切る装置を連動する構成について説明する。
【００９１】
図７に示すように竪枠１１に案内されるガイドバー９と、下枠１３に沿って下枠１３に案内されるガイドバー１０と、竪枠１１と下枠１３のコーナーにおいて竪枠１１及び下枠１３に沿って移動自在に設けられ一端が竪枠側ガイドバー９に他端が下枠側ガイドバー１０に連結された可撓性のコーナードライブ１５とで、サブアーム引寄せ装置６と障子２を閉め切る装置を連動させている。
（コーナードライブ）
図２６から図２８はコーナードライブ１５を示す。図２６は外部側から見る正面図、図２７は図２６の平面図、図２８は側面図である。
【００９２】
竪枠側ガイドバー９には図２７に示すように平面で見て直角に折曲している連結具５１の一片がねじ５２止めされている。連結具５１の他片が連杆５３に固定されている。連杆５３の下端はコーナーガイド５４に設けた上下方向のガイドに上下動自在に嵌合している。コーナーガイド５４は竪枠１１と下枠１３の内隅に配設され、下枠１３に固定されている。コーナーガイド５４は壁面に平行である。連杆５３の下端に固定したピン５３ａに可撓性部材５５の一端が係止されている。
【００９３】
コーナーガイド５４はＬ形であり、上下方向に長い辺の一端は連杆５３が滑合している。コーナーガイド５４の他端には連杆５６が下枠１３の長手方向と同方向に移動自在に嵌合している。連杆５６の一端のピン５６ａに可撓性部材５５の他端が係止されている。
【００９４】
可撓性部材５５は例えば帯状の板ばねである。この板ばねは少なくとも彎曲している部分の外側がコーナーガイド５４に設けた図示されない円弧形ガイドに案内されている。可撓性部材５５は壁面に平行な平面に沿ってＬ形の一定の軌跡上を彎曲位置を変え乍移動する。可撓性部材５５としてはギヤードケーブルを用いることもできる。
【００９５】
連杆５６は下枠側ガイドバー１０に固定されている。
【００９６】
上記のように竪枠側ガイドバー９と下枠側ガイドバー１０は見込方向において異なる位置に配設されている。このような見込み方向にお
ける上記各ガイドバー９，１０の連結は連結具５１を設けることによって可撓性部材５５にねじりを与えることなく移動可能としている。連結具５１の１辺及び連杆５３が竪枠１１の内周材１１ａに沿って配設されていて障子２を開いた際において室内からは見えず意匠を害することがない。
【００９７】
図２３に示すように下枠側ガイドバー１０は下枠１３の内周上に設けた下枠上ガイド１３ｄにより設けたＴ溝に嵌合して下枠１３に沿って移動自在に嵌合している。竪枠側ガイドバー９は竪枠１１のガイド１１ｈにより設けたＴ溝に嵌合している。これらのガイド１１ｈ，１３ｄはＴ溝を構成し、各ガイドバー９，１０は夫々ガイド１１ｈ，１３ｄで構成したＴ溝の口部より外部へ出ている。
（障子を閉めて閉め切る装置）
この実施例では上述した下枠側ガイドバー１０により駆動されるラッチを採用している。このラッチは竪枠側ガイドバー９、コーナードライブ１５、下枠側ガイドバー１０を介してサブアーム引寄せ装置６と連動している。
【００９８】
図８の一部を拡大して示す図９から図１１及び図１１の正面図の図１２に示すように下枠側ガイドバー１０上にラッチ回転用ブロック１６が当接し、該ブロック１６を挿通して小ねじ１６ｃを下枠側ガイドバー１０にねじ込み該ブロック１６を下枠側ガイドバー１０に固定している。従って、ラッチ回転用ブロック１６は下枠側ガイドバー１０と共に下枠１３の長手方向に移動する。
【００９９】
ラッチ回転用ブロック１６は固定部１６ａとカム作動子１６ｂとを有する。図１２に示すようにラッチ回転用ブロック１６のカム作動子１６ｂ側の下は空隙ＧＳとなっている。この空隙ＧＳがラッチ２０の平板状の根本側２０ｂに進む形となる。ラッチ回転用ブロック１６がカム作動子１６ｂとして機能する先端部は本例ではほぼ円弧の凹部であり、その中心は下枠側ガイドバー１０の幅を２分する中心線１０ａよりも内部側へオフセットしてある。
【０１００】
ラッチ２０はユニット化して下枠１３に固定されている。即ち、下枠１３に小ねじ２７ａによりラッチベース２７が固定されている。ラッチベース２７に固設したピン２９にラッチ２０が回転可能に嵌合している。
【０１０１】
ラッチ２０は上面に上方へ突出する突出部２０ｄを設けてある。この突出部２０ｄの側面にカム作動子１６ｂに押されるカム面２０ａが設けてある。ラッチ２０に植設したばね掛けピン２０ｅに一端が係止されたばね１９の他端はラッチベース２７に植設したばね掛けピン２７ｂに係止されている。
【０１０２】
ばね１９は引張りコイルばねであって図９、図１０の位置ではばね１９は張力はなく、自然長はピン２０ｅと２７ｂ間の距離と等しくなっている。
【０１０３】
ラッチ２０は平面図形が矩形であり、ピン２６に枢着された側の辺とは反対側の辺からはピン２９へ向かって切り込んだ溝２０ｃが設けてある。
【０１０４】
障子２の下框２３には障子側ピン２３ｂが設けてある。図２９に示すように障子側ピン２３ｂは下框２３の外周材２３ｄに固定され上下方向で見て先端部がラッチ２０の溝２０ｃに入り得る位置にある。
【０１０５】
上記において、ラッチ回転用ブロック１６、ラッチ２０、ラッチベース２７、障子側ピン２３ｂ等は図２３に示す下枠１３の水返し１３ｇの前の下框２３と下枠１３間の空間Ｓ２に配設されている。空間Ｓ２は下框２３と下枠１３間で外部側が外部に通じている。また、空間Ｓ２は下枠１３の長手方向の両端側で竪枠１１と竪框２１間の空間Ｓに通じている。従って、ラッチ２０を含むこれらの装置は障子２が閉まっていれば室内からは全く見えない。また、障子２が開いていても、室内から窓１を見ても下枠１３は窓台１３ｈから水返し１３ｇの下まで落ち込んでいるので上記装置はよく見えない。
【０１０６】
ラッチを含む障子を閉め切る装置の作用は次のとおりである。
【０１０７】
図９は障子２が開いた状態に相当するラッチ等を示す。このとき竪枠側ガイドバー９が下降限度位置にある。下枠側ガイドバー１０が右行限度位置にある（窓を外部側より見て）。カム作動子１６ｂとカム面２０ａは最も離れた位置にある。竪枠側ガイドバー９が上昇するとサブアーム引寄せ装置６によって障子２は閉まってくると共に下枠側ガイドバー１０が図９から図１０に図示する矢印のように左行する。
【０１０８】
図１０に示すように障子２が閉まるとき障子側ピン２３ｂがラッチの溝２０ｃの口部へ来て溝２０ｃが障子側ピン２３ｂと係合可能となる。このとき該ピン２３ｂは溝２０ｃの１側２０ｃ１に接触する。ラッチ回転用ブロック１６は左行してカム作動子１６ｂの外部側端面１６ｂ１がカム面２０ａのカム作動面２０ａ１を押し始める位置となる。つづく、ラッチ回転用ブロック１６の左行によりラッチ２０はばね１９のばね力に抗してピン２９を中心にして時計回りに回転する。一方障子側ピン２３ｂは溝２０ｃ間に位置して室内側へ移動する。
【０１０９】
このとき、サブアーム引寄せ装置６は竪枠側ガイドバー９の上昇につられて、該ガイドバー９の上昇量に対して障子２の内部側への引き寄せ量が次第に減少して来ている。従って、竪枠側ガイドバー９の上昇限度近くではサブアーム引寄せ装置６による障子２の引き寄せ量は少なく、竪枠側ガイドバー９のサブアーム引寄せ装置６の引寄せ量に対する上昇割合が増大する。従って図１０の状態からは障子側ピン２３ｂの内部側への移動速度よりも、障子側ピン２３ｂへラッチの溝２０ｃの他の一側２０ｃ２が接近する速度が速くなり、ラッチ２０は障子２の下框２３側を引き寄せ可能な状態となる。そして、カム作動子１６ｂの面とカム作動面２０ａ１とカム作動面２０ａ３との稜線２０ａ２にカム作動子１６ｂの面が当る（図示されない）。つづく、ラッチ回転用ブロック１６の左行により、ラッチ２０は更に回転すると共にラッチ回転用ブロック１６はカム面２０ａ３とカム作動子１６ｂの面が接触する。このとき、この接触面は下枠側ガイドバー１０の長手方向に対してほぼ直角となっている。ここで、ばね１９はばね力が小さく且つばね常数が極めて低く設定されている。そのため、ばね１９によりラッチ２０は逆行はしない。
【０１１０】
上述により、ラッチ２０は障子側ピン２３ｂを室内側へ引き寄せ、障子２の引き寄せを完全なものとする。
【０１１１】
障子閉鎖装置が障子２の自然風力による開閉を邪げない位置とするには竪枠側ガイドバー９を下降させる。竪枠側ガイドバー９が下降すると図１１において下枠側ガイドバー１０、ラッチ回転用ブロック１６は右行する。するとカム面２０ａとカム作動子１６ｂの接触部が移動する。ラッチ２０はばね１９に引かれてピン２９を中心に反時計回りに回動する。カム作動面２０ａ３からカム作動子１６ｂが離れ、稜線２０ａ２がカム作動子１６ｂの面と接触する。一方、アーム引寄せ装置６のリンク７は竪枠側ガイドバー９の下降により図６に点線ｄで示すように下降し、引っ掛け部材６ｂは外部側へ移動し、障子２は既述したように障子２の重量とメインアーム３、サブアーム４の位置関係で障子２が開く方向に少し移動する。しかし、この時点では障子側ピン２３ｂはラッチ２０の溝２０ｃの他の１側２０ｃ２に当り完全には開けない。続く下枠側ガイドバー１０の右行につれてカム作動子１６ｂの外部側端面１６ｂ１がカム作動面２０ａ１に接触してこの接触位置が稜線２０ａ２から遠ざかる。このときラッチ２０はばね１９のばね力でピン２９を中心に時計回りに回転する。つづいて障子側ピン２３ｂは溝２０ｃの口部へくる。
【０１１２】
かくして図１０のようにラッチ２０が回転した位置ではばね１９は自然長となってばね力はない状態となっている。障子側ピン２３ｂはラッチの溝２０ｃの口部から見込方向の外部側へ移動することは拘束されないようになっている。
【０１１３】
一方障子引寄せ装置６は図６から図５に示すように竪枠側ガイドバー９の下降によりリンク７の外縁７ａが規制ブロック８のカム面８ａと軽く接触し乍軸６ａを中心にして、及び自然風力換気窓としての障子２の外部側への移動により引っ掛け部材６ｂがサブアーム４の縁４ｃに押されて、時計回りに回動する。そして図４に示すように竪枠側ガイドバー９の下降限位置においてリンク７は規制ブロック８と外縁７ａが接触した状態において引っ掛け部材６ｂが最も外部側の位置となる。
【０１１４】
引っ掛け部材６ｂが最も外部側の位置となる前の竪枠側ガイドバー９の下降の際に下枠側ガイドバー１０は図１１から図９に示す矢印とは反対方向に右行し、ラッチ回転用ブロック１６は右行する。これによってラッチ２０はばね１９に引かれてピン２９を中心にして反時計回りに回動し、カム面２０ａに対するカム作動子１６ｂの接触位置がカム作動面２０ａ３、稜線２０ａ２、カム作動面２０ａ１と順次変りカム面２０ａからカム作動子１６ｂは離れて遠のく。そしてラッチ回転用ブロック１６は図９に示す位置となる。
（操作装置）
障子閉鎖装置における操作装置としてはその部材を竪枠、下枠、コーナードライブの何れかに設けることが考えられる。ここでは竪枠に設ける場合について説明する。操作部材を竪枠に設けるのが好適である。
【０１１５】
図１３、図１４に示すように竪枠１１の内部側に面する戸当り部材１１ｅの内部側に見込方向で見て竪枠外側ガイド１１ｈに重なるように竪枠内側ガイド１１ｉが設けてある。これらガイド１１ｈ，１１ｉで構成されるＴ溝の底は共通の部材である戸当り部材１１ｅの一部である。竪枠内側ガイド１１ｉ内には操作バー２４が上下動自在に嵌合している。このＴ溝の底には図１５から図１８に示すように上下に長い長穴の貫通部１１ｊが設けてある。貫通部１１ｊは竪枠１１の戸当り材１１ｅ上部に配置されている。
【０１１６】
図１５から図１８に示すように操作バー２４と竪枠側ガイドバー９を締結する締結部材３３が設けてある。締結部材３３は小ねじ３３ａと、スペーサ３３ｂを有する。
【０１１７】
図１８に示すようにスペーサ３３ｂは貫通部１１ｊの縁１１ｊ１の両側にわたる。スペーサ３３ｂは縁１１ｊ１に滑合する溝３３ｂ１を有する。スペーサ３３ｂは竪枠側ガイドバー９と操作バー２４に挟持され、操作バー２４、スペーサ３３ｂを貫通して竪枠側ガイドバー９にねじ込まれた小ねじ３３ａにより、竪枠側ガイドバー９と操作バー２４は締結されている。
【０１１８】
竪枠側ガイドバー９、操作バー２４は同断面形状である。共にガイド１１ｈ、１１ｉで構成される条溝の外側にやや突出する外面９ａ，２４ａを有する。竪枠側ガイドバー９、操作バー２４はこの外面９ａ，２４ａの両側から上記条溝の口部と、口部のすぐ内側及び両側に接するようにのびている。そして端縁が上記条溝の底に接している。竪枠側ガイドバー９、操作バー２４は肉厚をほぼ一定とするように外面９ａ，２４ａに倣って内面９ｂ，２４ｂを有する。
【０１１９】
ここで竪枠側ガイドバー９、操作バー２４はアルミ押出し型材、ステンレス鋼材等の引抜き材である。
【０１２０】
竪枠側ガイドバー９、操作バー２４の内面９ｂ，２４ｂに沿ってスペーサ３３ｂが設けてある。スペーサ３３ｂは操作バー２４の内面２４ｂに丁度嵌合し、竪枠側ガイドバー９の内面９ｂの内、段部９ｂ１，９ｂ２に嵌合している。スペーサ３３ｂはアルミ押出し型材、鋼製機械加工品、合成樹脂成型品等で作られている。
【０１２１】
竪枠側ガイドバー９と操作バー２４はスペーサ３３ｂを介して端部が剛結されているので、竪枠側ガイドバー９及び操作バー２４は端部が彎曲するような熱変形するような応力が生じたとしても、関係断面の寸法が正確に保たれているので竪枠外側ガイド１１ｈ，竪枠内側ガイド１１ｉとせり合うことなく円滑に上下動できる。
【０１２２】
（貫通部塞ぎ構成）
図１５から図１８に示すように貫通部１１ｊを塞ぐための貫通部塞ぎケース（以下、ケースという）４３が竪枠１１の上部に固設してある。ケース４３は平面でみて溝形鋼形であって竪枠側ガイドバー９、竪枠外側ガイド１１ｈを覆っていてフランジ端面が戸当り材１１ｅに接している。ケース４３の上端面は上枠１２の下面１２ｅに接している。下面１２ｅは窓台１３ｈに対向する上枠１２の面である。ケース４３は貫通部１１ｊよりも上下方向に長い。ケース４３は竪枠側ガイドバー９とは隙間を置いている。ケース４３の竪枠１１への取り付けは例えば竪枠外側ガイド１１ｈへの嵌着である。貫通部塞ぎケース４３は例えば合成樹脂成型品、アルミ押出し型材製である。
【０１２３】
貫通部塞ぎケース４３によって貫通部１１ｊをとおる透過光は遮断される。
【０１２４】
貫通部塞ぎケース４３と竪枠側ガイドバー９、竪枠外側ガイド１１ｈとの間には隙間があるので貫通部１１ｊにおいて戸当り材１１ｅの内外が通気可能である。そこで貫通部塞ぎ材４４を設けて通気しないようにしてある。貫通部塞ぎ材４４は、例えば硬質ゴム材製である。
【０１２５】
図１５に示すように竪枠側ガイドバー９、操作部材２４が下降限度の状態において、貫通部塞ぎケース４３の下方には貫通部塞ぎ材４４が配設されている。貫通部塞ぎ材４４は小ねじ４４ａにより竪枠側ガイドバー９に固定されている。貫通部塞ぎ材４４の上端から下方へ凹部４４ｂが設けてある。凹部４４ｂは貫通部塞ぎケース４３の外周が丁度滑合する形状である（図１７、図１8参照）。貫通部塞ぎ材４４は凹部４４ｂを除いて戸当り材１１ｅ、竪枠外側ガイド１１ｈ、竪枠側ガイドバー９に隙間なく摺動可能に接触している。
【０１２６】
図１７に示すように貫通部塞ぎ材４４は障子閉鎖装置により竪枠側ガイドバー９が上昇して障子２が閉まる際に上昇して行き凹部４４ｂが貫通部塞ぎ材ケース４３の下部に嵌合する。障子閉鎖装置が障子２を開放可能に引寄せ装置６の引っ掛け部材６ｂを外方の移動限度まで移動した際には、竪枠側ガイドバー９は下降限度まで下っており、貫通部塞ぎ材４４は図１５に示すように下降しており、貫通部塞ぎ材ケース４３から離れている。
【０１２７】
操作バー２４の上昇により竪枠側ガイドバー９は貫通部塞ぎ材４４を伴って上昇し、貫通部塞ぎ材４４の凹部４４ｂは貫通部塞ぎ材ケース４３に隙間なく丁度嵌合する。これによって貫通部塞ぎ材ケース４３と竪枠側ガイドバー９、竪枠外側ガイド１１ｈとの間の隙間はその下端の開口４５（図１８参照）と戸当り材１１ｅの外部側の空間Ｓとの間が閉塞される。このとき障子２は閉まっている。したがって空間Ｓ２，Ｓをとおって貫通部１１ｊを通じて室内へ直ちに外気が侵入することが防止される。
【０１２８】
図７に示すように下枠１３の端面に竪枠１１の内側面側が接しており、竪枠１１を挿通して図示されないタッピングねじが下枠１３のタッピング穴１３ｅ（図２３参照）にねじ込まれている。竪枠１１と上枠１２との結合も、竪枠１１と下枠１３との上記結合の態様と同様である。即ち、窓枠１は竪枠勝ちに四方組されている。
【０１２９】
図２３に示すように竪枠内側ガイド１１ｉは下枠１３の室内側の下端１３ｆまでのびている。操作バー２４は図７に示すように下枠１３より下方に垂下しており、室内側の壁面に取り付けた操作装置２５に連結されている（画法上操作装置は点線となるべき処分かり易くするために実線で示す）。
（操作装置）
操作装置２５を図１９、図２０に示す。図１９は室内側から見る正面図、図２０は内部の機構を示す背面図である。
【０１３０】
本例で採用した操作装置２５は往復すべり子回転機構を採用した。室内側壁面に固定されたベース６１には上下方向の長穴６１ａが設けてある。この長穴６１ａにはピン６２，６３が貫通している。ピン６２はすべり子６４に固定され、すべり子６４を貫通してベース６１の離面に上下方向に移動自在に設けた裏板（図示されない）に固定されている。ピン６３はすべり子６４に重ねられた連接棒６５の一端及びすべり子６４を貫通して前記裏板に固定されている。ピン６３はすべり子６４に固定されている。ピン６３は連接棒６５を回動自在に支持している。連接棒６５の他端はクランク６６の先端にクランクピン６７でもって枢着されている。クランク６６の根本はベース６１に回転自在に支持されたクランク軸６８に固定されている。又はクランク６６とクランク軸６８は一体成形されている。ベース６１に嵌着されたカバー６９でもってこれら往復回転すべり子機構を覆っている。クランク軸６８はカバー６９を挿通しており、カバー６９外においてクランク軸６８にハンドルである操作部材２５ａが着脱可能に取り付けてある。
【０１３１】
すべり子６４の側方に設けた出力部６４ａに一端がねじ７１ａ止め固定された連結具７１の他端は操作バー２４の下端部に固定されている。
【０１３２】
図１９のように操作部材２５ａが垂下した位置にあるとき、クランク軸６８、クランク６６は図２０において反時計回り回動限度の位置にあり、すべり子６４及び操作バー２４は下降限度位置にある。
【０１３３】
図１９の位置にある操作部材２５ａを反時計回り（図２０は背面図であり時計回りとなる。）に回転すると、図２０においてクランク軸６８、クランク６６は時計回りに回動して、クランク６６にクランクピン６７で連結されている連接棒６５を介してピン６３、すべり子６４、連結具７１、操作バー２４は共に上昇する。図１９に一点鎖線で示すように操作部材２５ａを９０度反時計回りに回動するとすべり子６４は上昇限度位置となる。クランク６６が上支点に近ずく際にはすべり子６４には大きな上昇力が生じており障子２がほぼ閉まっているが窓枠１に設けたパッキン４６，４９は障子２に強い力で当接される。
【０１３４】
上記のように、障子２が閉鎖されている状態ではクランク６６はクランクピン６７が上支点にある。従って、操作バー２４は下方向へ力を加えられても下方へ移動できない。そこで、外枠側ガイドバー９、下枠側ガイドバー１０は障子２が閉っている状態ではロックされている。従ってサブアーム引寄せ装置６、ラッチ２０はロックされる。そこで、障子２に負圧が加わったとしても閉鎖したままである。
【０１３５】
障子２の閉鎖状態において操作部材２５ａを図１９において時計回りに回動すると、図２０において直立した状態となっているクランク６６は反時計回りに回動し、クランクピン６７を介して連接棒６５を引き、連接棒６５にピン６３で連結されているすべり子６４、連結具７１、操作バー２４を下方へ移動する。これによって、操作バー２４の上端部で締結部材３３により操作バー２４にその上端部が固定されている竪枠側ガイドカバー９は下降する。この下降により、既にのべたようにサブアーム引寄せ装置６の引っ掛け部材６ｂはサブアーム４の運動を邪げることのない外方へ移動する。又、ラッチ２０は障子側ピン２３ｂの拘束を解く。これによって、窓は自然風力換気窓として作動する。
【０１３６】
（緩衝装置）
自然風力換気窓は風力の消長によって障子２は開度を自動的に調節する作用をする。このような作用は無風時から一定風速までである。そして一定風速以上に急激な建屋外壁面へ向って吹く風によって障子２は急激に閉る。このとき、障子２の閉る音が発生する。これは、窓枠に障子２が当って発生する音である。ここでのべる緩衝装置は障子の閉止時のエネルギーを吸収することにより上記音の低減を計ることを目的とする。
【０１３７】
図２９から図３２は障子閉鎖装置及び全体を符号７０で示す緩衝装置を付設した自然風力換気窓を示している。
【０１３８】
図３３は図３２のＢ−Ｂ拡大断面図である。
【０１３９】
図２９から図３２は夫々（ａ）は外部側から見る正面図（ｂ）は（ａ）の平面図、（ｃ）は（ａ）の側面図である。
【０１４０】
図２９から図３２を用いて緩衝装置７０の概略の構成を示す。根本側がピン７３により竪枠１１に枢着されたアーム７４の先端にはローラ例えばゴムローラ７５が回転自在に取り付けてある。これら緩衝装置７０は両側の竪枠１１に夫々同位置に設けてある。
【０１４１】
図３３はアーム７４部はアーム７４の長手方向に沿った断面を一平面上で示す。竪枠１１の内周材１１ａに固定されたベース７６には壁面に平行で水平なピン７３が植設されている。ピン７３にはアーム７４が回転可能に嵌合している。アーム７４の長手方向に直角な断面は溝型鋼形状である。アーム７４の先端にはピン７３に平行な金属製例えば鉄製のピン７７の両端の小端部７７ａがアーム７４の穴に嵌合して端面側がかしめられている。
【０１４２】
ピン７７にはゴムローラ７５が回転自在に嵌合している。ゴムローラ７５はピン７７に回転自在に嵌合する砲金製スリーブ７５ａの外周にローラゴム７５ｂを加硫成形してなる。なお、ローラゴム７５ｂはエラストマーに代えることもできる。また、ゴムローラに代えて外周部が軟質、中心部が硬質の二色成形合成樹脂製としてスリーブ７５ａなしでピン７７に回転自在に嵌合するローラとしてもよい。
【０１４３】
ピン７３に挿入された捩りコイルばね７８の一端７８ａは竪枠側ガイドバー９に接しており、他端７８ｂはアーム７４の中間部でその片側の縁に係止されている。これによって、図２９から図３１に示すようにアーム７４はピン７３を中心にして外部側へ回動したゴムローラ７５が外部側にある位置とされている。アーム７４は約４５°垂直方向に対して斜めとなっている。
【０１４４】
このとき、捩りコイルばね７８にはプリロードは加えられていない。
【０１４５】
緩衝装置７０はサブアーム４の竪枠１１への枢着位置の下方とコーナードライブ１５との間において障子閉止時に空間Ｓに納まるように設けてある。
【０１４６】
図３１において障子２がほぼ閉った位置においてゴムローラ７５は障子２の竪框２１の外側内面材２１ｂ（図３３参照）に接近している。外部側より内部側へ向う正圧の風が突然吹いたりすると障子２は急速に閉まる。このときゴムローラ７５は上記内面材２１ｂに当接され、つづいて内面材２１ｂがゴムローラ７５を押して図３２に示すようにアーム７４を捩りコイルばね７８のばね力に抗してピン７３を中心にして室内側へ回動する。このときゴムローラ７５は外側内面材２１ｂ上を転動する。
【０１４７】
このとき、捩りコイルばね７８はばね常数Ｔ／θ：ここでＴはアーム７４をばね７８に抗して捩るトルク、θはアーム７４の回転角である。ばね常数は一定であるのでアーム７４が復元しようとするトルクは次第に大きくなる。一方、外側内面材２１ｂとゴムローラ７５の接触位置は次第に上昇する。且つ、外側内面材２１ｂとゴムローラ７５の接触点における外側内面材２１ｂに立てた垂線とアーム７４の枢着位置のピン７３との距離は、障子２が閉って外側内面材２１ｂとゴムローラ７５が接触した後は障子２が閉るにつれて次第に増大する。従って、アーム長さ、ゴムローラとアームの外側内面材２１ｂとの接触開始位置を適当に選択することにより障子２が閉る際の外方へ向って障子を押し返そうとする緩衝装置の力を均一化するのに寄与できる。
【０１４８】
上述のようにこの緩衝装置によれば捩りコイルばね７８にプリロードを与えないことにより、障子２が急激に閉る際障子２とゴムローラ７５は衝突しないで接触し次第に障子２を制動する力が増大するが一次比例よりも小さく抑えられる。従って、障子２は次第に減速される。
【０１４９】
（全体作用のまとめ）
操作部材２５ａが垂下した障子開放位置にあるときは、アーム引寄せ装置６の引っ掛け部材６ｂは外部側の移動限度位置にある。このとき障子２はメインアーム３、サブアーム４により窓枠１に支持されて風力の消長により開閉する。
【０１５０】
操作部材２５ａを垂下した位置から図１９において反時計回りに回動すると、竪枠外側ガイドバー９、下枠側ガイドバー１０は連動して移動する。これによってアーム引寄せ装置６の引っ掛け部材６ｂはサブアーム４を引き寄せ障子２を閉める。このとき、緩衝装置７０は障子２に押されて内部側へ回動する。そして障子２が閉る最後においてはラッチ２０により障子側ピン２３ｂが内部側へ引かれて障子２が締め込まれる。
【０１５１】
操作装置２５は回転すべり子機構による逆止機構となっているので障子側に力を加えて障子２を開くことはできない。
【０１５２】
操作部材２５ａを上記と逆に回動すると竪枠外側ガイドバー９は下降すると共に下枠側ガイドバー１０は移動する。これによってラッチ２０は障子側ピン２３ｂを自由にしてアーム引寄せ装置６の引っ掛け部材６ｂは外部方向へ移動して外部側の限度位置に停止する。このとき最初緩衝装置７０は閉まっている障子２を押して開く方向に助勢するように作用する。これによって障子２はメインアーム３、サブアーム４により窓枠１に支持されて風力の消長により開閉する。
【０１５３】
強風等で障子２が閉る際に緩衝装置７０は障子２の閉止に抗して障子２の閉る速度を減速させるので障子２が窓枠１に衝突して発生する衝突音は低減される。
【０１５４】
（産業上の利用可能性）
この障子閉鎖装置は障子が閉った際には竪枠と竪框間の空間に納まっている。そして障子が開いた場合においてもこの障子閉鎖装置は室内から視界を殆ど邪げない範囲にある。そして室内側に操作装置の一部が見えるように設置されるだけであるので、意匠上すぐれた効果を発揮する。即ち、窓の意匠を減殺されることが全くない。室内側に操作装置の一部以外は出張らないので室内空間をせばめることがなく、窓に近ずこうとする人に障害とならない。
【０１５５】
窓枠内の室内側には障子閉鎖装置の部材がないので、ブラインドを窓内に設置することも可能となる。また、下枠の室内側に障害物がないのでカーテンを設けてもカーテンを閉めた際にカーテンがふくらむことがない。
【０１５６】
障子閉鎖装置は障子が閉った状態では竪枠と竪框間の空間Ｓにあるため、仮に長期間障子を閉めたままにしても埃とかその他粉塵により汚れることがない。
【０１５７】
また、障子が開いた状態においては障子閉鎖装置は障子により外部側の前方及び上方が覆われているので埃、粉塵により汚れ難い。
【０１５８】
障子閉鎖装置を構成する各部材は製作上、障害となる困難がない。
【０１５９】
実施例は自然風力換気窓についてのべたが一端が障子の竪框に枢着され他端が窓枠の竪枠に直接、又は竪枠に設けたすべり子に枢着されたアームを有する各種の突出し窓に適用可能である。そして、この場合にサブアーム引寄せ装置の引っ掛け部材を突き出しアームに設けた例えばアームの長手方向に長い溝に移動自在に設けると障子の閉鎖だけでなく開放も操作部材によって可能となる。
【０１６０】
本発明はこの障子閉鎖装置を障子の開閉装置として変形した場合を含む。
【図面の簡単な説明】
【０１６１】
【図１】障子閉鎖装置が付設されていない自然風力換気窓の閉鎖状態を示す縦断面図である。
【図２】障子閉鎖装置が付設されていない自然風力換気窓の半開状態を示す縦断面図である。
【図３】障子閉鎖装置が付設されていない自然風力換気窓の全開状態を示す縦断面図である。
【図４】障子引寄せ装置の側面図である。
【図５】障子引寄せ装置の側面図である。
【図６】障子引寄せ装置の側面図である。
【図７】障子引寄せ装置を付設した窓の外部側より見る正面図である。
【図８】図７の水平断面図である。
【図９】ラッチ機構の平面図である。
【図１０】ラッチ機構の平面図である。
【図１１】ラッチ機構の平面図である。
【図１２】ラッチ機構を外部側より見る正面図である。
【図１３】図６の拡大Ａ−Ａ断面図である。
【図１４】障子が閉った状態の竪枠上部の水平断面図である。
【図１５】竪枠上部の窓内の（ａ）は側面図、（ｂ）は正面図である。
【図１６】竪枠上部の窓内の（ａ）は側面図、（ｂ）は正面図である。
【図１７】竪枠上部の窓内の（ａ）は側面図、（ｂ）は正面図である。
【図１８】竪枠上部の水平断面図である。
【図１９】操作装置の正面図である。
【図２０】操作装置の背面図である。
【図２１】実施例の窓の正面図である。
【図２２】窓の水平断面図である。
【図２３】窓の見込方向の縦断面図である。
【図２４】窓の見込方向の断面を模式的に示す縦断面図である。
【図２５】窓の見込方向の断面を模式的に示す縦断面図である。
【図２６】コーナードライブの正面図である。
【図２７】図２６の一部断面で示す平面図である。
【図２８】図２６の側面図である。
【図２９】障子閉鎖装置及び緩衝装置を付設した自然風力換気窓の窓枠の（ａ）は外部側より見る正面図、（ｂ）は下枠側の平面図、（ｃ）は（ａ）の側面図である。
【図３０】障子閉鎖装置及び緩衝装置を付設した自然風力換気窓の窓枠の（ａ）は外部側より見る正面図、（ｂ）は下枠側の平面図、（ｃ）は（ａ）の側面図である。
【図３１】障子閉鎖装置及び緩衝装置を付設した自然風力換気窓の窓枠の（ａ）は外部側より見る正面図、（ｂ）は下枠の平面図、（ｃ）は（ａ）の側面図である。
【図３２】障子閉鎖装置及び緩衝装置を付設した自然風力換気窓の窓枠の（ａ）は外部側より見る正面図、（ｂ）は下枠の平面図、（ｃ）は（ａ）の側面図である。
【図３３】図３２のＢ−Ｂ拡大断面図である。
【図３４】従来例の平面図である。
【図３５】従来例の側面図である。
【符号の説明】
【０１６２】
ＣＧ…重心
Ｇ…ガラス  ＧＣ…重心  ＧＳ…空隙
ＰＬ…垂直平面
Ｓ，Ｓ２…空間  
Ｗ…重量  ＷＡ…壁面
Ｘ…自然風力換気窓
１…窓枠
２…障子
３…メインアーム  ３ａ…メインアーム障子側支点  ３ｂ…メインアーム枠側支点
４…サブアーム  ４ａ…サブアーム障子側支点  ４ｂ…サブアーム枠側支点  ４ｃ…縁
５…スライド  ５ａ…小ねじ  ５ｂ…ベース  ５ｃ…アーム
６…サブアーム引寄せ装置  ６ａ…軸  ６ｂ…引っ掛け部材
７…リンク  ７ａ…外縁
８…規制ブロック  ８ａ…カム面
９…竪枠側ガイドバー  ９ａ…外面  ９ｂ…内面  ９ｂ１，９ｂ２…段部
１０…下枠側ガイドバー  １０ａ…中心線
１１…竪枠  １１ａ…内周材  １１ｂ…外面材  １１ｃ…内面材  １１ｄ…戸当り材  １１ｅ…戸当り材  １１ｇ…条溝  １１ｈ…竪枠外側ガイド  １１ｉ…竪枠内側ガイド  １１ｊ…貫通部  １１ｊ１…縁  １１ｍ…条溝  １１ｎ…カバー
１２…上枠  １２ｂ…戸当り材  １２ｃ，１２ｄ…条溝  １２ｅ…下面
１３…下枠  １３ｃ…条溝  １３ｄ…下枠上ガイド  １３ｅタッピング穴  １３ｆ…下端  １３ｇ…水返し  １３ｈ…窓台  １３ｉ…内面材
１４…メインアーム取付具
１５…コーナードライブ
１６…ラッチ回転用ブロック  １６ａ…固定部  １６ｂ…カム作動子  １６ｂ１…外部側端面  １６ｃ…小ねじ
１７…ピン
１８…メインアーム枠側取付部  １８ａ…ストッパ
１９…ばね
２０…ラッチ  ２０ａ…カム面  ２０ａ１…カム作動面  ２０ａ２…稜線  ２０ａ３…カム作動面  
２０ｂ…根本側  
２０ｃ…溝  ２０ｃ１…１側  ２０ｃ２…他の１側  ２０ｄ…突出部  ２０ｅ…ばね掛けピン
２１…竪框  ２１ａ…内面材  ２１ｂ…外側内面材  ２１ｄ…外周材  ２１ｅ…アタッチ材
２２…上框  ２２ａ…内面材  ２２ｂ…外側内面材
２３…下框  ２３ａ…内面材  ２３ｂ…障子側ピン  ２３ｃ…外側内面材  ２３ｄ…外周材
２４…操作バー  ２４ａ…外面  ２４ｂ…内面
２５…操作装置  ２５ａ…操作部材  ２５ｃ…操作機構
２６…ピン（メインアーム取付）
２７…ラッチベース  ２７ａ…小ねじ  ２７ｂ…ばね掛けピン
２８…サブアーム障子側取付具  ２８ａ…小ねじ
２９…ピン（ラッチ取付）
３１…ピン
３２…サブアーム枠側取付具  ３２ａ…小ねじ  ３２ｂ…ストッパ
３３…締結部材  ３３ａ…小ねじ  ３３ｂ…スペーサ  ３３ｂ１…溝
３４…ピン
４０…ガラス溝
４１…ガラス台  
４２…シール材
４３…貫通部塞ぎケース  ４３ａ…外周
４４…貫通部塞ぎ材  ４４ａ…小ねじ  ４４ｂ…凹部
４５…開口
４６…パッキン
４９…パッキン
５１…連結具
５３…連杆  ５３ａ…ピン
５４…コーナーガイド
５５…可撓性部材
５６…連杆  ５６ａ…ピン
６１…ベース  ６１ａ…長穴
６２…ピン
６３…ピン
６４…すべり子  ６４ａ…出力部
６５…連接棒
６６…クランク
６７…クランクピン
６８…クランク軸
６９…カバー
７０…緩衝装置
７１…連結具  ７１ａ…ねじ
７２…ピン
７３…ピン
７４…アーム
７５…ゴムローラ  ７５ａ…スリーブ  ７５ｂ…ローラゴム
７６…ベース
７７…ピン  ７７ａ…小端部  ７７ｂ…ローラゴム
７８…捩りコイルばね  ７８ａ…一端  ７８ｂ他端
１０１…突き上げ窓
１０２…窓枠  １０２ａ…竪枠
１０３…ピン
１０４…障子
１０５…ピン
１０６…アーム  １０６ａ…長穴
１０７…ローラ
１０８…ボールジョイント
１０９…軸
１１０…開閉駆動装置
１１１…アーム  １１１ａ…ロッド  １１１ｂ…アーム  １１１ｃ…ボールジョイント
【図１】
2008002229.tif 000003
【図２】
2008002229.tif 000004
【図３】
2008002229.tif 000005
【図４】
2008002229.tif 000006
【図５】
2008002229.tif 000007
【図６】
2008002229.tif 000008
【図７】
2008002229.tif 000009
【図８】
2008002229.tif 000010
【図９】
2008002229.tif 000011
【図１０】
2008002229.tif 000012
【図１１】
2008002229.tif 000013
【図１２】
2008002229.tif 000014
【図１３】
2008002229.tif 000015
【図１４】
2008002229.tif 000016
【図１５】
2008002229.tif 000017
【図１６】
2008002229.tif 000018
【図１７】
2008002229.tif 000019
【図１８】
2008002229.tif 000020
【図１９】
2008002229.tif 000021
【図２０】
2008002229.tif 000022
【図２１】
2008002229.tif 000023
【図２２】
2008002229.tif 000024
【図２３】
2008002229.tif 000025
【図２４】
2008002229.tif 000026
【図２５】
2008002229.tif 000027
【図２６】
2008002229.tif 000028
【図２７】
2008002229.tif 000029
【図２８】
2008002229.tif 000030
【図２９】
2008002229.tif 000031
【図３０】
2008002229.tif 000032
【図３１】
2008002229.tif 000033
【図３２】
2008002229.tif 000034
【図３３】
2008002229.tif 000035
【図３４】
2008002229.tif 000036
【図３５】
2008002229.tif 000037